(57)【要約】【課題】動画撮像装置による動画像情報をＱＲコードを利用することで容易に記録・再生することがき、プリクラにおける静止画像の替わりにこれを動画像として楽しむことができる動画像再生システムを提供する。【解決手段】動画撮像装置１によって録画した動画像情報をサーバ側に転送する転送手段（１Ａ、２Ａ、Ｃ）と、サーバ側にて蓄積保存されている前記動画像情報をＱＲコード化するコード化手段（８）と、前記ＱＲコードをプリントするためのデータをプリンタ３側に出力するプリント用データ出力手段（７）とを具備する。また、前記プリント用データ出力手段（７）によって出力したＱＲコードを携帯電話機Ｋに取り込むコード読取手段（４）と、該コード読取手段（４）によって取り込んだＱＲコード情報に基づく動画を当該携帯電話機Ｋによって再生可能とした再生手段（６）とを含むものとする。【選択図】図１
2006211224.tif 000002
【特許請求の範囲】
【請求項１】
動画撮像装置によって録画した動画像情報をサーバ側に転送する転送手段と、サーバ側にて蓄積された前記動画像情報をＱＲコード化するコード化手段と、前記ＱＲコードをプリントするためのデータをプリンタ側に出力するプリント用データ出力手段とを具備して成ることを特徴とする動画像再生システム装置。
【請求項２】
前記プリント用データ出力手段によって出力されたＱＲコードを携帯電話機に取り込むコード読取手段と、該コード読取手段によって取り込んだＱＲコード情報に基づく動画を当該携帯電話機によって再生可能とした再生手段とを含む請求項１記載の動画像再生システム。
【発明の詳細な説明】
【技術分野】
【０００１】
本発明は、主としてプリントクラブ（以下プリクラと略称する）に使用され、その他各種イベントとして、例えば結婚式、カラオケ、忘年会、新年会、同窓会等に利用できるものとしたＱＲコード（二次元コード）（登録商標）を使用した動画像再生システムに関する。
【背景技術】
【０００２】
現在のプリクラは、静止画像である写真がその場でプリントアウトされてくるものであり、動画像として記録・再生することのできないものである。また、従来では例えば特許文献１に示すようなＱＲコードを使用したゲーム装置が提供されている。すなわち、このゲーム装置はＱＲコードによるイメージコード情報を物品から読み取ってゲームを展開するものであり、具体的にはイメージコード情報によってゲーム展開のためのデータを変更したり、新しいキャラクタを加えてゲームを展開したり、その他ゲーム展開のために用いられたデータをイメージコードにしてプリントしたり、ゲーム展開によって姿が変化したキャラクタをその特性データを示すイメージコードと共にプリントしたりすることができるものとされている。
【特許文献１】特開２００２−６５９３６号公報
【発明の開示】
【発明が解決しようとする課題】
【０００３】
しかしながら、従来におけるゲーム装置で使用されるＱＲコードによるイメージコード情報は、従来のプリクラにおけるような静止画像による情報であって、例えばデジタルビデオカメラ等の動画撮像装置によって映された動画像情報をＱＲコードによって記録・再生できるようにするものではない。
【０００４】
そこで本発明は叙上のような従来存した諸事情に鑑み創出されたもので、動画撮像装置による動画像情報をＱＲコードを利用することで容易に記録・再生することができ、プリクラにおける静止画像の替わりにこれを動画像として楽しむことができる動画像再生システムを提供することを目的とする。
【課題を解決するための手段】
【０００５】
上述した課題を解決するため、本発明にあっては、動画撮像装置によって録画した動画像情報をサーバ側に転送する転送手段と、サーバ側にて蓄積された前記動画像情報をＱＲコード化するコード化手段と、前記ＱＲコードをプリントするためのデータをプリンタ側に出力するためのプリント用データ出力手段とを具備して成ることを特徴とする。
また、前記プリント用データ出力手段によって出力されたＱＲコードを携帯電話機に取り込むコード読取手段と、該コード読取手段によって取り込んだＱＲコード情報に基づく動画を当該携帯電話機によって再生可能とした再生手段とを含むことができる。
【０００６】
以上のように構成された本発明に係る動画像再生システムにあって、プリクラにおける静止画像を撮る替わりに、動画撮像装置によって動画像情報を録画し、これを転送手段によってサーバ側に転送し保存される。サーバ側にて蓄積保存された動画像情報は、そこでコード化手段によってＱＲコード化される。そして、プリント用データ出力手段によってＱＲコードをプリントするためのデータをプリンタ側に出力させ、ＱＲコードを印刷させてユーザに引き渡される。ユーザは持ち帰ったＱＲコードをコード読取手段によって携帯電話機に取り込み、このＱＲコード情報に基づく動画を再生手段によって携帯電話機の表示画面に再生させる。
【発明の効果】
【０００７】
本発明によれば、動画撮像装置による動画像情報をＱＲコードを利用することで容易に記録・再生することができ、プリクラにおける静止画像の替わりにこれを動画像として楽しむことができる。
【発明を実施するための最良の形態】
【０００８】
以下、図面を参照して本発明を実施するための最良の一形態を説明する。図において示される符号Ｐは、プリクラにおけるＱＲコード（二次元コード）を使用した動画像再生システムの概略構成を示すもので、図１に示すように、例えばデジタルビデオカメラ等の動画撮像装置１と、サーバ側のパーソナルコンピュータ２と、プリンタ３とによって概ね構成されている。
【０００９】
動画像再生システムＰには、動画撮像装置１に備えた発信部１Ａと、サーバ側のパーソナルコンピュータ２に備えた受信部２Ａとの間を例えば通信回線Ｃ等によって接続して成る転送手段を構成しており、動画撮像装置１によって録画した動画像情報をサーバ側のパーソナルコンピュータ２に転送して保存されるようにしてある。尚、この通信回線Ｃは有線・無線を問わずデータ通信が可能であれば何でも良い。
【００１０】
また、サーバ側のパーソナルコンピュータ２には、蓄積保存されている前記動画像情報を、縦横の２方向に記録できる二次元コードである複数のＱＲコードに変換できるコード化手段を備えている。すなわち、このコード化手段としては、パーソナルコンピュータ２に蓄積保存されている動画像情報を抽出してＱＲコードに変換するためのデータにエンコード（符号化）することが可能なエンコーダ８によって構成されている。
【００１１】
また、サーバ側のパーソナルコンピュータ２には、前記ＱＲコードをカードにプリントするためのデータをプリンタ３側に出力するための例えば赤外線データ通信規格（ＩｒＤＡ）に準じた通信方式等によるプリント用データ出力手段を備えている。
【００１２】
すなわち、カードへのＱＲコードの印刷は、エンコーダ８において、パーソナルコンピュータ２に蓄積保存されている動画像情報を抽出してＱＲコードに変換するためのデータにエンコードしてからパーソナルコンピュータ２のＩｒＤＡＩ／Ｆ回路７から出力する。ＩｒＤＡＩ／Ｆ回路７から出力されたエンコードデータはプリンタ３に受信され、プリンタ３はパーソナルコンピュータ２から送信されたデコード信号を解析してカードにＱＲコードを印刷する。このとき、プリンタ３は画像表示用のデータのパラメータに対応したパターンをテーブル化して記憶している。
【００１３】
このように動画像再生システムＰは、課金後に動画撮像装置１によって自動的に録画を開始し、録画終了後には転送手段によって動画像情報をサーバ側のパーソナルコンピュータ２に転送して蓄積し保存されるものとしている。そして、コード化手段により動画像情報を複数のＱＲコードに変換した後、プリント用データ出力手段によってプリンタ３側にこの複数のＱＲコード情報を出力させ（当該プリンタ３で印刷させ）てユーザに引き渡されるものである。
【００１４】
ユーザは、持ち帰ったＱＲコードをコード読取手段によってカメラ付きの携帯電話機Ｋに取り込み、このＱＲコード情報に基づく動画を再生手段によって携帯電話機Ｋの表示画面に再生させるようにしている。
【００１５】
すなわち、図２に示すように、携帯電話機Ｋには、印刷されているＱＲコードを読み取ってデコードするためのコード読取手段として、例えば光学的読取可能な二次元ＣＣＤと、ＱＲコード照明用のＬＥＤ等を有するコードリーダ部４を携帯電話機Ｋのカメラ内部に備えている。
【００１６】
そして、このＬＥＤによって読取対象部分であるＱＲコードの印刷部分５を照明し、二次元ＣＣＤはＬＥＤの反射光をレンズを介して受けて露光し、ＱＲコードのパターンを記憶する。この二次元ＣＣＤに記憶されたＱＲコードのパターンは携帯電話機Ｋの制御回路により読み出されてデコードされ、再生手段として例えばＶＲＡＭ６により液晶画面等による携帯電話機Ｋの表示部に動画像となって再生されるようにしている。尚、このようなコードリーダ部４によるコード読取手段は、本発明を何等限定するものではなく、他の構成によるコード読取手段を使用しても良いことは言うまでもない。
【００１７】
次に、本構成による使用・動作について説明すると、課金後に動画撮像装置１によって自動的に録画が始まる。録画終了後に、動画像情報を転送手段によってサーバ側のパーソナルコンピュータ２に転送して保存される。
【００１８】
サーバ側にて蓄積保存されている動画像情報は、そこでコード化手段によってＱＲコード化され、プリント用データ出力手段によってＱＲコードをプリントするためのデータをプリンタ３側に出力させ、ＱＲコードを印刷させてユーザに引き渡される。
【００１９】
ユーザは持ち帰ったＱＲコード（複数個を含む）をコード読取手段によって携帯電話機Ｋに取り込み、これらＱＲコード情報に基づく動画を再生手段によって携帯電話機Ｋの表示画面に再生させることで動画を見ることができる。
【図面の簡単な説明】
【００２０】
【図１】本発明を実施するための最良の形態を示す概略構成図である。
【図２】同じくＱＲコードを携帯電話機によって読み取って動画像を再生させる状態を示す斜視図である。
【符号の説明】
【００２１】
Ｐ      動画像再生システム
Ｃ      通信回線（転送手段）
Ｋ      携帯電話機
１      動画撮像装置
１Ａ    送信部（転送手段）
２      パーソナルコンピュータ
２Ａ    受信部（転送手段）
３      プリンタ
４      コードリーダ部（コード読取手段）
５      印刷部分
６      ＶＲＡＭ（再生手段）
７      ＩｒＤＡＩ／Ｆ回路（プリント用データ出力手段）
８      エンコーダ（コード化手段）
【図１】
2006211224.tif 000003
【図２】
2006211224.tif 000004